(57)【要約】【課題】衣服のポケットなどに対して良好な把持力を有する使い勝手のよいクリップを提供する。【解決手段】使用者が衣服のポケットに筆記具１０を収納しようとすると、クリップ本体２２が全体としてしなって、矢印ＦＡのように、筆記具１０とコロ２６との間にポケットの生地１２が入り込む。このとき、コロ２６は、バネ２４の押圧力に抗して矢印ＦＢ方向に回動し、バネ２４は矢印ＦＣ方向に変位する。従って、クリップ本体２２のしなりの程度がバネ２４の作用によって低減され、クリップが折れてしまうという不都合が回避される。生地１２は、コロ２６によって把持され、筆記具１０の脱落は良好に防止される。【選択図】図２
2007210313.tif 000002
【特許請求の範囲】
【請求項１】
対象物とクリップ本体との間に被把持物を挟むためのクリップであって、
前記被把持物を押さえるための回動可能なコロと、
このコロが回動して前記被把持物を押さえるように付勢するためのバネを、
前記クリップ本体にそれぞれ設けたことを特徴とするクリップ。
【請求項２】
前記被把持物の厚みに対応して被把持物を押さえるための段差を前記コロに設けたことを特徴とする請求項１記載のクリップ。
【請求項３】
前記対象物ないし前記被把持物と前記コロとが湾曲面で接するようにしたことを特徴とする請求項１又は２のいずれかに記載のクリップ。
【発明の詳細な説明】
【技術分野】
【０００１】
本発明は、筆記具などに使用するクリップの改良に関する。
【背景技術】
【０００２】
筆記具に使用するクリップとしては、各種のものが知られており、実用化されている。例えば、下記特許文献１に開示されたものがある。これによれば、クリップの先端に筆記具の軸芯方向に長径を合わせた楕円形開口部を設け、その楕円形開口部とキャップ又は筆記具本体との間に球形回転体を装着したことを特徴とするもので、衣服のポケットに筆記具を格納したり、逆に取り出す際に、常時正確なころがり運動を球形回転体に与えることができ、摺動抵抗を軽減することができるとしている。
【特許文献１】特開平１０−６６８６号公報
【発明の開示】
【発明が解決しようとする課題】
【０００３】
しかしながら、従来の技術では、Ｙシャツなどの薄い生地のポケットの場合に、クリップによる把持力が弱くなり、使用者が体を傾けたときに、筆記具がポケットから落下してしまう恐れがある。また、構造によってはクリップが折れてしまうなどの不都合もある。このような破損を防止しつつ把持力を大きくしたものとして、紙クリップないしバインダークリップのように構成したものもあるが、ポケットに筆記具を入れるときにクリップ先端を開く必要があり、必ずしも使い勝手がよいとはいえない。
【０００４】
本発明は、以上の点に着目したもので、衣服のポケットなどに対して良好な把持力を有する使い勝手のよいクリップを提供することを、その目的とする。
【課題を解決するための手段】
【０００５】
前記目的を達成するため、本発明は、筆記具などの対象物とクリップ本体との間に被把持物を挟むためのクリップであって、前記被把持物を押さえるためのコロと、このコロが回動して前記被把持物を押さえるように付勢するためのバネを、前記クリップ本体にそれぞれ設けたことを特徴とする。主要な形態の一つは、前記被把持物の厚みに対応して被把持物を押さえるための段差を前記コロに設けたことを特徴とする。更に他の形態の一つは、前記対象物ないし前記被把持物と前記コロとが湾曲面で接するようにしたことを特徴とする。本発明の前記及び他の目的，特徴，利点は、以下の詳細な説明及び添付図面から明瞭になろう。
【発明の効果】
【０００６】
本発明によれば、コロをバネで付勢することとしたので、衣服のポケットなどに対して良好な把持力を有する使い勝手のよいクリップを得ることができる。
【発明を実施するための最良の形態】
【０００７】
以下、本発明を実施するための最良の形態を、実施例に基づいて詳細に説明する。
【実施例１】
【０００８】
図１には、実施例１の主要構成が示されている。同図(A)は本発明を適用した筆記具の全体図，同図(B)はクリップ部分の拡大平面図，同図(C)は(B)の＃Ａ−＃Ａ線に沿って矢印方向に見た断面図，同図(D)は主要部を分解して示す斜視図である。これらの図において、筆記具１０の側面適宜位置には、クリップ２０が取り付けられている。クリップ２０の本体２２は、全体が丸みを帯びた長手形状となっており、開放端側に、バネ２４及びコロ２６が設けられている。コロ２６は、側面（図１(C)参照）から見ると、概略扇状となっている。
【０００９】
詳述すると、本体２２の開放端を外側からみると、略コ字状の切り込み２３が設けられており（図１(B)参照）、これによって板状のバネ２４が形成されている。また、本体２２の固定端を内側からみると、筆記具１０にクリップ２０を固定するための固定具２１が設けられている。また、本体２２の内側には、外周に沿って枠２８が設けられており（図１(D)参照）、この枠２８の略中央付近には、補強用のリブ３０が設けられている。上述した切り込み２３は、このリブ３０付近まで形成されている。枠２８の側面内側であって、上述したバネ２４の先端付近には、１対の突起３２が設けられている。
【００１０】
他方、上述したコロ２６の側面には、１対の窪み３４が設けられており、前記突起３２が嵌まり込むようになっている。すなわち、コロ２６は、突起３２及び窪み３４を軸として回動可能となっている。更に、コロ２６の背面側（図の上側）は、図１(C)に示すように、上述したバネ２４に当接しており、コロ２６を本体２２に取り付けた状態で、バネ２４がコロ２６を付勢するようになっている。図２には、その様子が示されている。まず、コロ２６がない状態では、バネ２４の先端は、同図(A)に示すような位置にある。ここで、コロ２６を取り付けると、同図(B)に示すように、コロ２６の正面側が筆記具１０の側面に当たり、反対の背面側がバネ２４を押すようになる。結果的に、コロ２６は、バネ２４によって、筆記具１０側に付勢されるようになる。
【００１１】
更に、コロ２６の正面側には、段差２７が形成されている。段差２７は、例えば、厚みのある生地であってもクリップ本体２２に負担を掛けることなく把持できるようにするためのものである。加えて、コロ２６の段差２７付近には、凹んだ湾曲面２６Ａが形成されており（図１(D)参照）、この湾曲面２６Ａが筆記具１０の側面に当接している。このように湾曲面２６Ａを形成することで、筆記具１０とコロ２６との間の生地を挟む面積が増大し、摩擦抵抗が増大して、筆記具落下の防止効果を高めることができる。なお、クリップ本体２２の固定具２１側には、アクセサリー（図示せず）を付けるための穴２１Ａが設けられているが、これは任意である。
【００１２】
次に、本実施例の筆記具１０を、例えば衣服のポケットに収納するような場合の動作について説明する。筆記具１０とクリップ２０は、当初、図２(B)に示す状態となっており、コロ２６は、バネ２４で付勢されて、その正面側が筆記具１０の側面に当接している。この状態で、使用者が衣服のポケットに筆記具１０を収納しようとすると、クリップ本体２２が全体としてしなって、図２(C)に矢印ＦＡで示すように、筆記具１０とコロ２６との間にポケットの生地１２が入り込む。このとき、コロ２６は、バネ２４の押圧力に抗して矢印ＦＢ方向に回動し、バネ２４は矢印ＦＣ方向に変位する。従って、クリップ本体２２のしなりの程度がバネ２４の作用によって低減され、クリップが折れてしまうという不都合が回避される。
【００１３】
ポケットの生地１２は、バネ２４によってコロ２６により筆記具１０側に押圧され、良好に把持されるようになる。従って、ポケットからの筆記具１０の脱落は良好に防止される。
【００１４】
ポケットから筆記具１０を取り出すとき、使用者は、筆記具１０の頭部を強く引く。すると、クリップ本体２２が全体してしなって、ポケットの生地１２がコロ２６と筆記具１０から抜ける。このときも、バネ２４の作用によってクリップ本体２２のしなりの程度が低減され、クリップが折れてしまうという不都合が回避される。
【００１５】
なお、図２(C)に示すように、ポケットの生地１２には通常折り返しが形成されているが、このような折り返しや厚い生地１４の端がコロ２６を越える位置まで筆記具１０をポケットに収納すると、厚い生地１４の端がコロ２６の段差２７に引っ掛かるようになり、筆記具１０の落下防止効果が更に向上する。また、図２(D)に示すように、厚い生地１４を挟むような場合は、クリップ本体２２が同図(C)の場合と比較して更にたわむようになる。しかし、コロ２６に段差２７が形成されているため、クリップ本体２２のたわみが低減され、クリップ本体２２が折れるなどの破損が低減されるようになる。
【００１６】
このように、本実施例によれば、クリップの折れや、ポケットからの筆記具の落下が良好に低減されるようになる。また、使用者は、バネ２４を開くなどの操作を行う必要がなく、使い勝手もよい。
【００１７】
なお、本発明は、上述した実施例に限定されるものではなく、本発明の要旨を逸脱しない範囲内において種々変更を加え得る。例えば、以下のものも含まれる。
(1)上述した実施例は一例であり、同様の作用を奏するように設計変更可能である。例えば、前記実施例ではコロ２６を付勢するためのバネ２４として、板バネを使用したが、コイルバネなど、公知の各種のものを適用してよい。
(2)前記実施例では、本発明の筆記具を衣服のポケットに収納する場合を説明したが、例えばファイルに筆記具を挟むような場合なども同様である。
(3)本発明の適用対象としては、ボールペン，シャープペン，サインペンなどの各種の筆記具が好適な例であるが、携帯用のライトやスコープ，ネームプレートなどにも、同様に適用可能である。
【産業上の利用可能性】
【００１８】
本発明によれば、衣服などを良好に把持することができるので、筆記具やネームプレートなどに好適である。
【図面の簡単な説明】
【００１９】
【図１】本発明の一実施例を示す図である。(A)は筆記具の全体図，(B)はクリップ部分の拡大平面図，(C)は(B)の＃Ａ−＃Ａ線に沿って矢印方向に見た断面図，(D)は主要部を分解して示す斜視図である。
【図２】前記実施例のコロの作用を示す主要断面図である。(A)はコロがない状態を示す断面図，(B)はコロを付けた状態を示す断面図，(C)は衣服のポケットを挟んだ状態を示す断面図，(D)は厚い生地を挟んだ状態を示す断面図である。
【符号の説明】
【００２０】
１０：筆記具
１２：生地
１４：折り返しないし厚い生地
２０：クリップ
２１：固定具
２１Ａ：穴
２２：クリップ本体
２３：切り込み
２４：バネ
２６：コロ
２６Ａ：湾曲面
２７：段差
２８：枠
３０：リブ
３２：突起
３４：窪み
【図１】
2007210313.tif 000003
【図２】
2007210313.tif 000004